(57)【要約】【課題】  ディスク記録機能情報サービス装置および方法を提供する。【解決手段】  ディスク記録およびディスク記録支援如何の検索を行うディスクドライブと、ディスク記録命令が行われる時にディスクドライブから挿入されたディスクが記録支援されるかどうかを確認して、記録支援されていないディスクに対してユーザーに該当ディスクの一般情報を表示するコンピュータとを含むことを特徴とするディスク記録時のディスク情報サービス装置。これにより、入力されたディスクに対してディスクドライブが記録機能を支援しているかどうかが分かり、記録機能が支援されていない時に該当ディスクに関する情報および記録機能支援可能なファームウェア情報を提供するディスク記録時のディスク情報も分かり、ユーザーのディスク管理が容易になる。【選択図】  図１
2005004957.tif 000002
【特許請求の範囲】
【請求項１】
ディスク記録支援如何の検索を行うディスクドライブと、
ディスクドライブから挿入されたディスクが記録支援されるかどうかを確認して、記録支援されていないディスクに対してユーザーに該当ディスクの一般情報を表示するコンピュータと、を含むことを特徴とするディスク記録時のディスク情報サービス装置。
【請求項２】
前記ディスクの一般情報は、
ディスクの種類および製造会社情報を含むことを特徴とする請求項１に記載のディスク記録時のディスク情報サービス装置。
【請求項３】
前記ディスクの一般情報は、
前記ディスク情報を持つウェブサイトの情報であることを特徴とする請求項１に記載のディスク記録時のディスク情報サービス装置。
【請求項４】
前記ディスクの一般情報は、
前記ディスク情報を持つウェブサーバーコンテンツであることを特徴とする請求項１に記載のディスク記録時のディスク情報サービス装置。
【請求項５】
前記コンピュータとディスクドライブ間のデータ交換はＡＴＡＰＩプロトコルによることであることを特徴とする請求項１に記載のディスク記録時のディスク情報サービス装置。
【請求項６】
ディスク記録時のディスク情報サービス装置において、
ディスクドライブに挿入されたディスクへのデータ記録実行に伴われるユーザー支援機能を提供するディスクバックアップ支援部と、
ディスクドライブに挿入されたディスクに関する記録関連情報をユーザーに表示するディスク情報サービス部と、
ディスク情報サービス部から該当ディスクに対する情報検索要請を受けて検索実行結果をリターンする情報検索部と、
データ記録実行命令およびディスク記録関連情報検索要請を所定プロトコルに合わせて転送するか、ディスクドライブから出力されるデータを受信するインターフェース部と、を含むことを特徴とするディスク記録時のディスク情報サービス装置。
【請求項７】
前記ディスク情報サービス部は、
ディスクドライブから現在挿入されたディスクへの記録機能支援如何を確認して、記録が支援されていないディスクの場合、そのディスクと関連した情報をユーザーに表示することを特徴とする請求項６に記載のディスク記録時のディスク情報サービス装置。
【請求項８】
記録支援されていないディスクが挿入された場合、
前記情報検索部は、該当ディスクと関連したウェブサイト情報を検索してその結果をディスク情報サービス部にリターンし、
前記ディスク情報サービス部は前記情報検索部からリターンした内容をディスプレイすることを特徴とする請求項７に記載のディスク記録時のディスク情報サービス装置。
【請求項９】
記録支援されていないディスクが挿入された場合、
前記情報検索部は該当ディスク関連情報を持つウェブサイト／サーバーに連結してコンテンツをダウンロードし、ダウンロードされた内容をディスク情報サービス部にリターンし、
前記ディスク情報サービス部は前記情報検索部からリターンされた内容をディスプレイすることを特徴とする請求項７に記載のディスク記録時のディスク情報サービス装置。
【請求項１０】
記録支援されていないディスクが挿入された場合、
前記情報検索部は前記ディスクの記録を支援するソフトウェアをウェブサイトからダウンロードすることを特徴とする請求項６に記載のディスク記録時のディスク情報サービス装置。
【請求項１１】
前記インターフェース部は、
ディスクドライブとのデータ交換時にＡＴＡＰＩプロトコルを適用することを特徴とする請求項６に記載のディスク記録時のディスク情報サービス装置。
【請求項１２】
ディスクドライブを含むコンピュータで、ディスク記録時のディスク情報サービス方法において、
ディスクドライブから前記ディスクの記録支援如何に関する情報が受信される段階と、
挿入されたディスクが記録支援されていないものである時、そのディスク関連情報をディスプレイする段階と、を含むことを特徴とするディスク記録時のディスク情報サービス方法。
【請求項１３】
前記ディスク関連情報をディスプレイする段階は、
現在挿入されたディスクと関連したウェブサイトに接続する段階と、
前記ウェブサイト上の情報をダウンロードする段階と、
前記ダウンロードした情報をディスプレイする段階と、を含むことを特徴とする請求項１２に記載のディスク記録時のディスク情報サービス方法。
【請求項１４】
記録支援されていないディスクが挿入された場合、ネットワークを通じて所定サーバーに接続して前記ディスクの記録を支援するソフトウェアをダウンロードする段階と、
ダウンロードした前記ソフトウェアを実行して以後に前記ディスクの記録機能を支援する段階と、をさらに含むことを特徴とする請求項１２に記載のディスク記録時のディスク情報サービス方法。
【請求項１５】
ディスク上にデータを記録する装置において、
ディスクが着脱自在になっており、そのディスクにデータを記録するディスクドライブと、
ディスクドライブに連結されて、ディスクドライブがディスクにデータを記録できるかどうかを判断するプロセッサーを含み、
ディスクドライブがディスクにデータを記録できなければ、前記プロセッサーはネットワークにアクセスして前記ディスクドライブが前記ディスク上にデータを記録可能にするソフトウェアをダウンロードすることを特徴とする装置。
【請求項１６】
前記プロセッサーは、前記ディスクドライブが前記ディスクにデータを記録可能にする前記ソフトウェアを自動で実行することを特徴とする請求項１５に記載の装置。
【請求項１７】
前記プロセッサーは前記ネットワークにアクセスする前にユーザー入力を要請することを特徴とする請求項１５に記載の装置。
【請求項１８】
前記ネットワークはインターネットであることを特徴とする請求項１５に記載の装置。
【請求項１９】
前記プロセッサーは所定のウェブサイトにアクセスすることを特徴とする請求項１８に記載の装置。
【請求項２０】
前記ディスクは光ディスクであることを特徴とする請求項１５に記載の装置。
【請求項２１】
前記ディスクドライブが前記ディスクにデータを記録できない時、前記プロセッサーは前記ディスクドライブがそのディスクにデータを記録できないということを表示する信号を提供することを特徴とする請求項１５に記載の装置。
【請求項２２】
前記プロセッサーにより提供された前記信号によって、ユーザーに前記ディスクドライブがそのディスクにデータを記録できないということをディスプレイするディスプレイをさらに具備することを特徴とする請求項２１に記載の装置。
【請求項２３】
前記ディスクドライブはディスクからディスク情報を読取ってそれをプロセッサーに転送することを特徴とする請求項１５に記載の装置。
【請求項２４】
前記ディスク情報はディスクＩＤまたは製造者情報のうち少なくとも一つを含むことを特徴とする請求項２３に記載の装置。
【請求項２５】
前記ディスクドライブおよびプロセッサーはＡＴＡＳＩインターフェースプロトコルによって情報を交換することを特徴とする請求項１５に記載の装置。
【請求項２６】
前記プロセッサーは前記ディスクドライブおよびデータを送受信する第１インターフェースを含み、前記ディスクドライブは前記プロセッサーおよびデータを送受信する第２インターフェースを含むことを特徴とする請求項１５に記載の装置。
【請求項２７】
前記プロセッサーはパソコンであることを特徴とする請求項１５に記載の装置。
【請求項２８】
前記プロセッサーはＩＣチップであることを特徴とする請求項１５に記載の装置。
【請求項２９】
前記プロセッサーはマイクロプロセッサーであることを特徴とする請求項１５に記載の装置。
【請求項３０】
ディスクドライブがディスクにデータを記録可能にする方法において、
ディスクドライブが、ディスクドライブに挿入されたディスクにデータを記録できるかどうかを判断する段階と、
ディスクドライブが前記ディスクにデータを記録できなければ、ディスクからディスク情報を読取ってネットワークに自動で接続し、前記ネットワークで前記ディスクドライブが前記ディスクにデータを記録可能にするソフトウェアを自動検索し、前記ディスクドライブが前記ディスクにデータを記録可能にする前記ソフトウェアを自動で実行する段階と、を含むことを特徴とする方法。
【請求項３１】
前記ネットワークはインターネットであることを特徴とする請求項３０に記載の方法。
【請求項３２】
所定ウェブサイトがアクセスされることを特徴とする請求項３１に記載の方法。
【請求項３３】
前記ディスクは光ディスクであることを特徴とする請求項３０に記載の方法。
【請求項３４】
前記ディスク情報は製造者情報を含むことを特徴とする請求項３０に記載の方法。
【発明の詳細な説明】
【技術分野】
【０００１】
本発明はディスク記録時のコンピュータ動作に係り、より詳細には記録が支援されていないディスクに対して記録関連各種情報をユーザーに提供する、ディスク記録時のディスク情報サービス装置および方法に関する。
【背景技術】
【０００２】
最近にメモリ容量が大きいディスク形態の保存媒体が広く普及されると共に、ディスクを駆動するディスクドライブがパソコン上に装着されている。コンピュータで提供するデータ記録ソフトウェア（例えば、ＮｅｒｏＴＭやＥＺ ＣＤＴＭなど）の支援を通じて記録可能ディスクに外部データをバックアップする機能を備えたディスクドライブも広く普及されている。
【０００３】
いままでの記録可能ディスクドライブを結合したコンピュータシステムでは、該当ディスクドライブが記録機能を支援できないディスクが入力され、そのディスクにデータバックアップを実行しようとする時、いかなるエラーメッセージも提供せず、提供するとしても非常に制限的なエラー発生メッセージだけを提供した。
【０００４】
このように、ディスクドライブが記録機能を支援できないディスクを使用してバックアップを行う時、エラーメッセージがユーザーに提供されなければ、ユーザーがディスクのバックアップ可否が分からなくて無理なバックアップによるデータ損傷が発生する恐れがある。バックアップ用ディスクがディスクドライブで利用不可であるという短いメッセージが提供されるとしても、ユーザーは該当ディスクに関する情報を全く分からずにバックアップを可能にする対策を備えられない。
【発明の開示】
【発明が解決しようとする課題】
【０００５】
本発明の目的は、入力されたディスクに対してディスクドライブの記録機能支援如何が分かり、記録機能が支援されていない時に該当ディスクに関する情報および記録機能支援可能なソフトウェア情報を提供するディスク記録時のディスク情報サービス装置および方法を提供するところにある。
【課題を解決するための手段】
【０００６】
前記目的を達成するために、ディスク記録およびディスク記録支援如何の検索を行うディスクドライブと、ディスク記録命令が行われる時にディスクドライブから挿入されたディスクが記録支援されるかどうかを確認して、記録支援されていないディスクに対してユーザーに該当ディスクの一般情報を表示するコンピュータと、を含むことを特徴とするディスク記録時のディスク情報サービス装置を提供する。
【０００７】
前記ディスクの一般情報はディスクの種類および製造会社情報を含むことを特徴とする。  前記ディスクの一般情報は前記ディスク情報を持つウェブサイトの情報であることが望ましい。
前記ディスクの一般情報は前記ディスク情報を持つウェブサーバーコンテンツであることが望ましい。
【０００８】
前記コンピュータとディスクドライブ間のデータ交換はＡＴＡＰＩ（ＡＴ Ａｔｔａｃｈｍｅｎｔ Ｓｙｓｔｅｍ Ｉｎｔｅｒｆａｃｅ）プロトコルによることが望ましい。
前記目的を達成するために提供される本発明のディスクドライブを含むコンピュータのディスク記録時のディスク情報サービス装置は、ディスクドライブに挿入されたディスクへのデータ記録実行に伴われるユーザー支援機能を提供するディスクバックアップ支援部と、ディスクドライブに挿入されたディスクに関する記録関連情報をユーザーに表示するディスク情報サービス部と、ディスク情報サービス部から該当ディスクに対する情報検索要請を受けて検索実行結果をリターンする情報検索部と、データ記録実行命令およびディスク記録関連情報検索要請を所定プロトコルに合わせて転送するか、ディスクドライブから出力されるデータを受信するインターフェース部とを含むことを特徴とする。
【０００９】
前記ディスク情報サービス部は、ディスクドライブから現在挿入されたディスクへの記録機能支援如何を確認して、記録が支援されていないディスクの場合、そのディスクと関連した情報をユーザーに表示することが望ましい。
記録支援されていないディスクが挿入された場合、前記情報検索部は、該当ディスクと関連したウェブサイト情報を検索してその結果をディスク情報サービス部にリターンし、前記ディスク情報サービス部は前記情報検索部からリターンした内容をディスプレイすることが望ましい。
【００１０】
記録支援されていないディスクが挿入された場合、前記情報検索部は該当ディスク関連情報を持つウェブサイト／サーバーに連結してコンテンツをダウンロードし、ダウンロードされた内容をディスク情報サービス部にリターンし、前記ディスク情報サービス部は前記情報検索部からリターンされた内容をディスプレイすることが望ましい。
記録支援されていないディスクが挿入された場合、前記情報検索部は前記ディスクの記録を支援するソフトウェアをウェブサイトからダウンロードし、前記ディスク情報サービス部は、前記情報検索部でダウンロードした前記ソフトウェアをディスクドライブ内に設置し、設置後に前記ディスクの記録機能を支援可能にすることが望ましい。
【００１１】
前記インターフェース部は、ディスクドライブとのデータ交換時にＡＴＡＰＩプロトコルを適用することが望ましい。
前記目的を達成するために提供される、ディスクドライブを含むコンピュータでディスクドライブに挿入されたディスクに対してディスク記録が命令される時、ディスク記録時のディスク情報サービス方法は、ディスクドライブから前記ディスクの記録支援如何に関する情報が受信される段階と、挿入されたディスクが記録支援されていないものである時、そのディスク関連情報をディスプレイする段階とを含むことを特徴とする。
【００１２】
前記ディスク関連情報をディスプレイする段階は、現在挿入されたディスクと関連したウェブサイト情報を検索する段階と、前記ウェブサイト検索結果をディスプレイする段階とを含むことが望ましい。
前記ディスク関連情報をディスプレイする段階は、現在挿入されたディスクと関連したウェブサイトに接続する段階と、前記ウェブサイト上の情報をダウンロードする段階と、前記ダウンロードした情報をディスプレイする段階とを含むことが望ましい。
【００１３】
記録支援されていないディスクが挿入された場合、ネットワークを通じて所定サーバーに接続して前記ディスクの記録を支援するソフトウェアをダウンロードする段階と、ダウンロードした前記ソフトウェアを実行して以後に前記ディスクの記録機能を支援する段階とをさらに含むことが望ましい。
【発明の効果】
【００１４】
本発明によれば、入力されたディスクに対してディスクドライブが記録機能を支援しているかどうかが分かり、記録機能が支援されていない時に該当ディスクに関する情報および記録機能支援可能なファームウェア情報を提供するディスク記録時のディスク情報も分かり、ユーザーのディスク管理が容易になる。
【発明を実施するための最良の形態】
【００１５】
以下添付された図面を参照して本発明を詳細に説明する。
図１は、本発明のディスク記録時のディスク情報サービス装置の概略的構成例を示したものである。図１のシステムは、コンピュータ１００とディスクドライブ１１０とよりなる。ディスク記録時のディスク情報サービスと関連してコンピュータ１００はディスクバックアップ支援部１０１、ディスク情報サービス部１０２、情報検索部１０３および第１インターフェース部１０４を含む。ディスクドライブ１１０は第２インターフェース部１１１およびディスクバックアップ支援情報テーブル１１２を含む。
【００１６】
コンピュータ１００で、ディスクバックアップ支援部１０１はユーザーにディスクドライブ１１０に挿入されたディスクにバックアップ、記録またはコピーを行うように支援するソフトウェアである。このようなソフトウェア、またはツールの例として市販されているＮｅｒｏＴＭやＥｚ ＣＤＴＭを挙げられる。
【００１７】
ディスク情報サービス部１０２はバックアップするためにディスクドライブ１１０に挿入されたディスクに対する記録関連サービスを提供する。ディスク情報サービス部１０２の機能は、１）ディスクドライブ１１０が現在挿入されたディスクへの記録機能を支援しているかどうかを確認し、２）記録が支援されていないディスクに関する情報をディスプレイすることである。
【００１８】
情報検索部１０３は、ディスク情報サービス部１０２から該当ディスクに対する検索要請を受けてインターネットなどのネットワークと連結して該当ディスクに関する情報を提供するサーバーと接続する。それから、該当サーバーからディスク情報をダウンロードしてディスク情報サービス部１０２に提供する。情報検索部１０３のディスク情報提供サーバーへの連結は、ディスクドライブ１１０から与えられた挿入されたディスクのＩＤ情報などを活用して実行できる。サーバーからダウンロードするディスク情報には、ディスクのメーカーやディスク種類などのディスク自体の情報だけでなく、ディスクドライブにインストールして該当ディスクを記録可能にするプログラムも含まれうる。
【００１９】
第１インターフェース部１０４はディスクバックアップ支援部１０１で形成された命令を所定プロトコルに合わせて転送するか、ディスクドライブ１１０から出力されるデータを受信する。一般的にコンピュータとディスクドライブ間のインターフェースはＡＴＡＰＩプロトコルによるインターフェースを使用する。第１インターフェース部１０４が送信する命令のうちにはディスクドライブが現在挿入されたディスクに対する記録支援ができるかどうか問い合わせる命令が存在する必要がある。また、サーバーからダウンロードした現ディスクの記録支援プログラムを送信するための命令も存在する必要がある。
【００２０】
ディスク記録情報支援と関連して、ディスクドライブ１１０の第２インターフェース部１１１はコンピュータ１００の第１インターフェース部１０４からＡＴＡＰＩプロトコルのような通信フォーマットよりなるデータおよび命令を受信して解釈する。
【００２１】
ディスクバックアップ支援情報テーブル１１２は、ディスクドライブ１１０で記録機能を支援できるディスクの情報を保存するテーブル（Ｗｒｉｔｅ Ｓｔｒａｔｅｇｙ Ｔａｂｌｅ；ＷＳＴ）である。
【００２２】
図１の動作を以下に説明する。
ディスクにデータをバックアップ／記録するために、ユーザーはまず一つのディスクをディスクドライブ１１０に挿入し、コンピュータ１００を利用してディスクへのバックアップ／記録／コピーを命令できる。
【００２３】
この時、ディスク情報サービス部１０２は、該当ディスクの記録可否を問い合わせる命令を発生させて第１インターフェース部１０４を通じてディスクドライブ１１０に転送する。
【００２４】
ディスクドライブ１１０にある制御部（図示せず）はディスクバックアップ支援情報テーブル１１２を検索して挿入されたディスク情報が含まれているかどうかを確認する。その確認結果は、第２インターフェース部１１１を経てコンピュータ１００のディスク情報サービス部１０２に転送される。この時、ディスクドライブ１１０で読取った挿入されたディスクの情報、すなわちディスクＩＤ、ディスク製造会社などの情報もディスク情報サービス部１０２に転送されうる。
【００２５】
ディスク情報サービス部１０２はディスクドライブ１１０から、現在挿入されたディスクがディスクドライブ１１０で記録支援されていないディスクであるということを確認するやいなや、共に受信されたディスク情報を情報検索部１０３に転送する。
【００２６】
情報検索部１０３はディスク情報サービス部１０２から、挿入されたディスクの基本的な情報を受け、インターネットなどのネットワークを通じて該当ディスク情報を利用して関連サーバーを検索する。情報検索部１０３は該当ディスクと関連して検索されたサーバー情報（またはウェブサイト情報）だけをディスク情報サービス部１０２にリターンでき、または関連サーバーと接続してサーバーに含まれた内容をリターンできる。
【００２７】
ディスク情報サービス部１０２はリターンされた情報をモニターなどを利用してユーザーにディスプレイする。情報検索部１０３はディスク関連サーバーから、ディスク記録を支援するソフトウェアをダウンロードすることもある。このダウンロードされたソフトウェアはディスク情報サービス部１０２および第１インターフェース部１０４、そしてディスクドライブ１１０の第２インターフェース部１１１を経てディスクドライブ１１０の所定保存部（図示せず）に保存され、制御部により実行されうる。
【００２８】
このような記録機能支援ソフトウェアがディスクドライブ１１０内に設置されれば、ディスクバックアップ支援情報テーブル１１２に該当ディスク情報が追加される。以後では同じ類型のディスクが挿入される時、そのディスクへのデータバックアップ／記録が可能になる。
【００２９】
ソフトウェアのダウンロードおよび設置時にユーザーの確認過程がさらに含まれ、その確認如何によってソフトウェアダウンロードや設置が実行される。
【００３０】
図２は、本発明のディスク記録関連情報をサービスする方法のフローチャートである。
まず、ディスクドライブにディスクが挿入された後、コンピュータ上でユーザーによりディスクバックアップまたは記録やコピー命令が与えられる（２００段階）。
【００３１】
ディスクドライブは該当ディスクが記録支援されているかどうかをコンピュータに知らせる（２１０段階）。この時、ディスク記録支援如何情報と共にディスクの基本情報もコンピュータに転送される。
【００３２】
挿入されたディスクが記録支援されているものであれば、コンピュータはディスクドライブに命令して挿入されたディスクへのデータバックアップを実行させる（２２０段階）。
【００３３】
コンピュータは、挿入されたディスクが記録支援されていないものであれば、それをディスプレイ上に表示する（２３０段階）。
【００３４】
次いで、ディスクの基本情報を利用してインターネットなどのネットワークを通じて該当ディスク関連情報を含むウェブサイトやサーバー情報を検索する（２４０段階）。
【００３５】
このような検索動作はコンピュータ内で自動で実行される。検索されたウェブサイトまたはサーバー情報自体がディスプレイ上に表示されるか、検索されたウェブサイトに接続されてそのウェブサイトに含まれたディスク関連情報がディスプレイされる（２５０段階）。ウェブサイトに含まれたディスク関連情報をディスプレイする時、該当サイトから現在挿入されたディスク記録を支援するソフトウェアをダウンロードできる。このダウンロードされたファームウェアはディスクドライブにインストールされ、インストール以後には該当ディスクと同じ種類のディスクに対してディスクドライブでの記録が可能になる。ファームウェアのダウンロードおよび設置時、ユーザーの確認過程がさらに含まれてその確認如何によってファームウェアダウンロードや設置が実行される。
【産業上の利用可能性】
【００３６】
本発明はディスクバックアップを行うあらゆるディスクドライブおよびディスクドライブに連結された各種コンピューティング装置に適用できる。
【図面の簡単な説明】
【００３７】
【図１】本発明のディスク記録時のディスク情報サービス装置の概略的構成例を示した図面である。
【図２】本発明のディスク記録関連情報をサービスする方法のフローチャートである。
【符号の説明】
【００３８】
１００    コンピュータ
１０１    ディスクバックアップ支援部
１０２    ディスク情報サービス部
１０３    情報検索部
１０４    第１インターフェース部
１１０    ディスクドライブ
１１１    第２インターフェース部
１１２    ディスクバックアップ支援情報テーブル
【図１】
2005004957.tif 000003
【図２】
2005004957.tif 000004